(57)【特許請求の範囲】
【請求項１】
建物の躯体の所定位置に互いに離れて配置された複数の硬質断熱材とこれら硬質断熱材の間に設けられた通気性を有する軟質断熱材とを含み形成された外断熱層と、この外断熱層の外側を覆う透湿防水シートと、この透湿防水シートの外側に設けられた外装材とを備え、この外装材は、前記外断熱層の硬質断熱材部分を挟んで前記躯体に支持され、前記硬質断熱材が発泡合成樹脂材から形成されていることを特徴とする外断熱構造。
【請求項２】
請求項１に記載の外断熱構造において、
前記外装材は胴縁と、この胴縁の外側表面に固定される板材とを備える、ことを特徴とする外断熱構造。
【請求項３】
請求項１または２に記載の外断熱構造において、
前記外断熱層は前記硬質断熱材と前記軟質断熱材とが一体化された複数のパネルで形成される、ことを特徴とする外断熱構造。
【請求項４】
建物の所定位置で躯体と外装材との間に配置され外断熱層として利用される断熱パネルであって、
互いに離れて配置された複数の硬質断熱材とこれら硬質断熱材の間に設けられた通気性を有する軟質断熱材とを含み一体形成され、前記外装材が前記硬質断熱材部分を挟んで前記躯体に取付け可能とされ、前記硬質断熱材が発泡合成樹脂材から形成されていることを特徴とする断熱パネル。
【請求項５】
請求項４に記載の断熱パネルにおいて、
前記硬質断熱材は所定の大きさの小片であって縦および横の両方向ともにそれぞれ所定の間隔で複数散在し、それらの小片の間に前記軟質断熱材が設けられている、ことを特徴とする断熱パネル。
【請求項６】
請求項４に記載の断熱パネルにおいて、
前記硬質断熱材は長尺部材であってパネル両端縁に沿って配置され、それらの長尺部材の間に前記軟質断熱材が設けられている、ことを特徴とする断熱パネル。
【請求項７】
請求項４に記載の断熱パネルにおいて、
前記硬質断熱材はパネル外縁に枠状に配置され、枠の中に前記軟質断熱材が設けられている、ことを特徴とする断熱パネル。
【請求項８】
請求項４に記載の断熱パネルにおいて、
前記硬質断熱材は長尺部材であって所定間隔おきに略平行に少なくとも３本配置され、それら長尺部材の間に前記軟質断熱材が設けられている、ことを特徴とする断熱パネル。
【請求項９】
請求項４に記載の断熱パネルにおいて、
前記硬質断熱材は格子状に配置され、その格子の中に前記軟質断熱材が設けられている、ことを特徴とする断熱パネル。
【請求項１０】
請求項４から９のいずれかに記載の断熱パネルにおいて、
前記硬質断熱材および前記軟質断熱材の前記外装材側表面には透湿防水シートが張られている、ことを特徴とする断熱パネル。
【発明の詳細な説明】
【０００１】
【発明の属する技術分野】
本発明は、建物の躯体に配置される外断熱構造および断熱パネルに関する。
【０００２】
【背景技術】
従来、建物の外断熱構造としては躯体の外側に現場で発泡合成樹脂材を吹き付けたもの（従来例１：特許第３０３９９２４号公報）や、板状の発泡合成樹脂材を躯体外側に張り付けたもの（従来例２：実用新案登録第２６０２８２８号公報）がある。これらの従来例１，２によれば、躯体内側に断熱層を設けた場合に比べて、躯体内側の結露を確実に防止できる。
【０００３】
【発明が解決しようとする課題】
しかし、発泡合成樹脂材を吹き付ける従来例１では、現場施工が多いため手間がかかりコストが増大する。また、発泡合成樹脂材を張り付ける従来例２では、発泡合成樹脂材が硬質なため外装材を固定できるが、材料自体が高価なためコストが増大し、通気性も低下する。この点、断熱材をロックウール、グラスウール等の軟質断熱材のみで形成することも考えられる。軟質断熱材を使用すれば安価でかつ通気性を確保できるが、定まった形を保持できないため外装材の固定が困難となり、外装材を固定するための木材は、熱橋となって断熱性能を低下させてしまう。
【０００４】
本発明は、安価で作業効率を向上させることができ通気性に優れた、外断熱構造および外断熱パネルを提供することを目的とする。
【０００５】
【課題を解決するための手段】
そのため、請求項１に記載された本発明の外断熱構造は、図面を参照して説明すると、建物１の躯体の所定位置に互いに離れて配置された複数の硬質断熱材２１とこれら硬質断熱材の間に設けられた通気性を有する軟質断熱材２２とを含み形成された外断熱層２０と、この外断熱層の外側を覆う透湿防水シート２３と、この透湿防水シートの外側に設けられた外装材２４とを備え、この外装材は、前記外断熱層の硬質断熱材部分を挟んで前記躯体に支持され、前記硬質断熱材が発泡合成樹脂材から形成されていることを特徴とする。
【０００６】
以上の構成を備える本発明では、外断熱層を躯体に配置することで発泡合成樹脂材を吹き付ける従来例１に比べて外断熱の施工を容易に行うことができ、かつ、硬質断熱材部分を挟んで外装材が躯体に取り付けられることで外断熱層および外装材が躯体に確実に固定される。硬質断熱材と比較して安価な軟質断熱材を硬質断熱材の間に設ける外断熱層とすることにより、熱橋を抑えつつ、コストを抑えた建物の外断熱構造を提供することができる。また、本発明では軟質断熱材により通気性が確保されるので結露を防止できる。
【０００７】
請求項２に記載された本発明の外断熱構造は、請求項１に記載の外断熱構造において、前記外装材は胴縁２５と、この胴縁の外側表面に固定される板材２６とを備えることを特徴とする。
このような構成は、従来より用いられている外装材の取り付け方法であるので、製造が容易で、施工効率がよく、低コストで施工できる。
【０００８】
請求項３に記載された本発明の外断熱構造は、請求項１または２に記載の外断熱構造において、前記外断熱層は前記硬質断熱材と前記軟質断熱材とが一体化された複数のパネルで形成されることを特徴とする。
このような構成は、複数の硬質断熱材の間に軟質断熱材を設けてパネル化することで、パネルの形態が維持され取扱い性がよく施工性に優れるとともに、パネルを工場生産することで、現場施工の手間を低減し施工効率を向上できる。
【０００９】
請求項４に記載された本発明の断熱パネルは、建物１の所定位置で躯体と外装材２４との間に配置され外断熱層２０として利用される断熱パネル３０であって、互いに離れて配置された複数の硬質断熱材２１とこれら硬質断熱材の間に設けられた通気性を有する軟質断熱材２２とを含み一体形成され、前記外装材が前記硬質断熱材部分を挟んで前記躯体に取付け可能とされ、前記硬質断熱材が発泡合成樹脂材から形成されていることを特徴とする。
【００１０】
以上の構成を備える本発明では、複数の硬質断熱材の間に軟質断熱材を設けてパネル化し、硬質断熱材部分を挟んで外装材が躯体に取り付けられることで容易かつ確実に外装材が固定され、安価な軟質断熱材を硬質断熱材の間に設ける外断熱層とすることにより、作業効率が向上しコストを抑えた建物の外断熱構造とすることができる。
しかも、硬質断熱材によりパネルの形態が維持され取扱い性がよく施工性に優れるとともに、軟質断熱材により通気性も確保されることになる。また、パネルを工場生産することで現場施工の手間を軽減し施工効率を向上できる。
【００１１】
請求項５に記載された本発明の断熱パネルは、請求項４に記載の断熱パネルにおいて、前記硬質断熱材は所定の大きさの小片であって縦および横の両方向ともにそれぞれ所定の間隔で複数散在し、それらの小片の間に前記軟質断熱材が設けられていることを特徴とする。
このようにすれば、高価な硬質断熱材の使用量を減らすことができ、施工コストを低減できる。
請求項６に記載された本発明の断熱パネルは、請求項４に記載の断熱パネルにおいて、前記硬質断熱材は長尺部材であってパネル両端縁に沿って配置され、それらの長尺部材の間に前記軟質断熱材が設けられていることを特徴とする。
このようにすれば、パネルの両端縁が硬質断熱材で保護され、角や端がつぶれることなくパネルの形状が維持される。
【００１２】
請求項７に記載された本発明の断熱パネルは、請求項４に記載の断熱パネルにおいて、前記硬質断熱材はパネル外縁に枠状に配置され、枠の中に前記軟質断熱材が設けられていることを特徴とする。
このようにすれば、外縁に配置された硬質断熱材どうしが互いに連続してパネルの枠を形成するので、上述のパネル端縁に硬質断熱材を配置した場合以上に、パネルの剛性が高くなり形状が維持され施工し易くなる。
請求項８に記載された本発明の断熱パネルは、請求項４に記載の断熱パネルにおいて、前記硬質断熱材は長尺部材であって所定間隔おきに略平行に少なくとも３本配置され、それら長尺部材の間に前記軟質断熱材が設けられていることを特徴とする。
このようにすれば、パネルの剛性が高くなると共に外装材を支持する間隔も小さくできるので、外装材の取り付け強度を高くすることができる。
【００１３】
請求項９に記載された本発明の断熱パネルは、請求項４に記載の断熱パネルにおいて、前記硬質断熱材は格子状に配置され、その格子の中に前記軟質断熱材が設けられていることを特徴とする。
このようにすれば、パネルの平面内での縦横両方向ともに剛性が高くなると同時に、外からの衝撃などに対する強度が高まるので運搬や施工の際に破損しにくくなり、運搬効率や施工効率を高めることができる。
請求項１０に記載された本発明の断熱パネルは、請求項４から９のいずれかに記載の断熱パネルにおいて、前記硬質断熱材および前記軟質断熱材の前記外装材側表面には透湿防水シートが張られていることを特徴とする。
このようにすれば、現場で透湿防水シートを張り付ける施工手間を省略することができるので、施工効率を向上することが可能となる。
【００１４】
【発明の実施の形態】
以下、本発明の実施形態を図面に基づいて説明する。図１から図３には第一実施形態について、図４から図７には第二から第五実施形態についてそれぞれ示されているが、各実施形態において同一構成要素は同一符号とし説明を省略あるいは簡略化する。
【００１５】
まず、第一実施形態について説明する。
図１には第一実施形態の外断熱構造を適用した建物の全体図が示されている。図１において、建物１は基礎２の上に建物本体３が固定され、この建物本体３の上に屋根４が載置されている。また、建物本体３の外側面には外壁１０が形成されている。
【００１６】
図２および図３には第一実施形態の外断熱構造を適用した外壁の断面図および構成図が示されている。図２および図３において、外壁１０は躯体としての壁パネル１１を備える。壁パネル１１は木質の枠材１２に面材１３を貼り付けて形成され、前記基礎２の上に床パネル５および半土台６を介して立ち上げられ、図示しないアンカーボルト等で基礎２と緊結される。
第一実施形態の外断熱構造は、前記壁パネル１１の外側表面に外断熱層２０と、この外断熱層２０の外側を覆う透湿防水シート２３と、この透湿防水シート２３の外側に設けられる外装材２４とを備えて構成される。
【００１７】
外断熱層２０は、互いに離れて配置される複数の硬質断熱材２１とこれら硬質断熱材２１の間に設けられる通気性を有する軟質断熱材２２とが一体形成された断熱パネル３０を複数配置することで形成される。断熱パネル３０の外側を覆って透湿防水シート２３が張り付けられている。断熱パネル３０は工場であらかじめ製造されるとともに、透湿防水シート２３も張り付けらる。
また、外装材２４は複数の胴縁２５とこれらの胴縁２５の外側表面に固定された板材２６とで形成され、断熱パネル３０の硬質断熱材２１部分を挟んで壁パネル１１に釘２７等を用いて固定される。
【００１８】
図３において、硬質断熱材２１は長尺の部材であって上下に延びており、外装材２４の板材２６の幅寸法に合わせた間隔で略平行に配置されている。これらの硬質断熱材２１の間にはそれぞれ軟質断熱材２２が設けられており、硬質断熱材２１と軟質断熱材２２とから断熱パネル３０が形成されている。硬質断熱材２１と軟質断熱材２２とはその厚み寸法が略同じ（例えば３０ｍｍ）であり、これらの間はスプレー状ののり（例えば住友スリーエム社製の透湿シート貼りボンド）等で接着することで互いに固定されている。
【００１９】
ここで、硬質断熱材２１の材料には発泡合成樹脂材のスタイロフォーム（商品名）を用いることとする。発泡合成樹脂材としては、ポリスチレン、ポリエチレン、ポリ塩化ビニル、ポリウレタン等の合成樹脂を発泡させて作られたものが一般的であるが、中でも、ポリスチレンを発泡させて作られたスタイロフォーム（商品名）は剛性が高く、断熱性および加工性に優れているため本実施形態への利用に適している。
また、軟質断熱材２２の材料としてはロックウールやグラスウール等通気性を有するものが適用可能であるが、本実施形態ではグラスウールを採用することとする。
【００２０】
従って、第一実施形態の構成によれば以下の効果が得られる。
(１)外断熱層２０は硬質断熱材２１と比較的安価なグラスウールなどの軟質断熱材２２とを組み合わせて形成されるので、熱橋を抑えつつ、コストを低く抑えることができる。
(２)スタイロフォーム（商品名）などの硬質断熱材２１は軟質断熱材と比べ剛性が高いので、現場で取り付ける作業が行いやすく、また、硬質断熱材２１を挟んで壁パネル１１に外装材２４を取り付ける際、確実に固定できるので作業効率が向上する。
(３)軟質断熱材２２であるグラスウールは通気性がよく、湿気を外部に放出できるので、結露等が起きにくく建物の劣化が抑えられる。
【００２１】
(４)硬質断熱材２１と軟質断熱材２２とを組み合わせ一体形成される断熱パネル３０は、工場で製作可能であるので、現場での取り付け作業が軽減され作業効率が向上する。
(５)断熱パネル３０の外側を覆う透湿防水シート２３は、あらかじめ工場で張り付けておくことができるので、現場で透湿防水シートを張り付ける施工手間を省略することができ施工効率が向上する。
【００２２】
(６)外装材２４は胴縁２５とこの胴縁２５の外側表面に固定された板材２６とで形成されるが、このような構成は一般的な外装材の取り付け方法であるので、製造が容易で、施工効率がよく、低コストで施工できる。
(７)断熱パネル３０では硬質断熱材２１は長尺部材であって、外装材２４の板材２６の幅寸法に合わせた間隔で略平行に配置され、それら長尺部材の間に軟質断熱材２２が設けられていることで、外装材２４を確実に取り付けることができるとともに、断熱パネル３０の剛性が高まることで形状が維持され、取扱いがし易く作業効率が向上する。また、高価な硬質断熱材２１の使用量を減らすことができコストを低減できる。
【００２３】
次に、第二から第五実施形態について図４から図７に基づき説明する。第二から第五実施形態では、前記断熱パネル３０において硬質断熱材２１と軟質断熱材２２とを組み合わせる際の形態のみが、前記第一実施形態と異なり、それ以外の構成は第一実施形態と同様である。
【００２４】
図４には第二実施形態の断熱パネルが示されている。図４において、硬質断熱材２１Ａは所定の大きさの小片であって縦および横の両方向ともにそれぞれ所定の間隔で複数散在し、それら小片の間に軟質断熱材２２Ａが設けられることで断熱パネル３０Ａが形成されている。
この断熱パネル３０Ａでは硬質断熱材２１Ａの横方向の間隔は外装材２４の板材２６の幅に合わせられ、縦方向の間隔は外装材２４の胴縁２５の間隔に従って決定されることになる。硬質断熱材２１Ａは第一実施形態の硬質断熱材２１と材質が同じである。また、硬質断熱材２１Ａの小片１つ当たりの大きさは外装材を取り付けるために必要な所定の大きさを有すればよく、その形状は図４のように矩形状でもよく円形、楕円形あるいは三角形でも可能である。ただし、パネルの形状を維持するためにパネルの４つの角部には必ず配置されるものとする。
軟質断熱材２２Ａは第一実施形態の軟質断熱材２２と材質が同じである。また、断熱パネル３０Ａは、１枚の軟質断熱材２２Ａを使ってもよいし、複数枚の軟質断熱材２２Ａを組み合わせることでも製造可能である。
【００２５】
従って、第二実施形態によれば第一実施形態の(１)から(６)の効果と同様の効果が得られると同時に、次の(８)の効果を奏しうる。
(８)断熱パネル３０Ａでは硬質断熱材２１が所定の間隔で散在し配置され、それらの間に軟質断熱材２２が設けられていることで、高価な硬質断熱材２１の使用量を大幅に減らすことができコストを低減できる。
【００２６】
図５には第三実施形態の断熱パネルが示されている。図５において、硬質断熱材２１Ｂは長尺部材であってパネルの左右の端縁に沿って２本配置され、それらの硬質断熱材２１Ｂの間に軟質断熱材２２Ｂが設けられることで断熱パネル３０Ｂが形成されている。ここで、硬質断熱材２１Ｂおよび軟質断熱材２２Ｂは第一実施形態の硬質断熱材２１および軟質断熱材２２と材質が同じである。
【００２７】
従って、第三実施形態によれば第一実施形態の(１)から(６)の効果と同様の効果が得られると同時に、次の(９)の効果を奏しうる。
(９)断熱パネル３０Ｂでは硬質断熱材２１Ｂがパネルの両端縁に沿って配置され、その間に軟質断熱材２２Ｂが設けられていることで、パネルの端縁が剛性の高い硬質断熱材２１Ｂで保護され、角や端がつぶれることなくパネルの形状が維持され取り扱いやすくなる。また、比較的高価な硬質断熱材２１Ｂの使用量を減らすことができコストを低減できる。
【００２８】
図６には第四実施形態の断熱パネルが示されている。図６において、硬質断熱材２１Ｃは４本からなり、これらがパネルの外縁に枠状に配置され、その枠の中に軟質断熱材２２Ｃが設けられることで断熱パネル３０Ｃが形成されている。ここで、硬質断熱材２１Ｃおよび軟質断熱材２２Ｃは第一実施形態の硬質断熱材２１および軟質断熱材２２と材質が同じである。
【００２９】
従って、第四実施形態によれば第一実施形態の(１)から(６)の効果と同様の効果が得られると同時に、次の(10)の効果を奏しうる。
(10)断熱パネル３０Ｃでは硬質断熱材２１Ｃがパネルの外縁部に枠状に配置され、その枠の中に軟質断熱材２２Ｃが設けられていることで、外縁に配置された硬質断熱材２１Ｃどうしが互いに連続してパネルの枠を形成するので、上述の断熱パネル３０Ｂ以上に、パネルの剛性が高くなり形状が維持され取扱い性が高まり施工し易くなる。
【００３０】
図７には第五実施形態の断熱パネルが示されている。図７において、硬質断熱材２１Ｄは複数本からなり、これらがパネルの外縁部と中間部に格子状に配置され、その格子の中に軟質断熱材２２Ｄが設けられることで断熱パネル３０Ｄが形成されている。ここで、硬質断熱材２１Ｄおよび軟質断熱材２２Ｄは第一実施形態の硬質断熱材２１および軟質断熱材２２と材質が同じである。
【００３１】
従って、第五実施形態によれば第一実施形態の(１)から(６)の効果と同様の効果が得られると同時に、次の(11)の効果を奏しうる。
(11)断熱パネル３０Ｄでは硬質断熱材２１Ｄがパネルの外縁部と中間部に格子状に配置され、その間に軟質断熱材２２Ｄが設けられていることで、パネルの平面内での縦横両方向ともに剛性が高くなると同時に、外からの衝撃などに対する強度が高まるので運搬や施工の際に破損しにくくなり、運搬効率や施工効率を高めることができる。
【００３２】
なお、本発明は前述の実施形態に限定されるものではなく、本発明の目的を達成できる範囲での変形、改良等は本発明に含まれるものである。例えば、前記実施形態では木質壁パネルを構造体とする建物について説明を行ったが、木質パネル以外でもコンクリート製の躯体や、ユニット式プレハブ建物等で用いられるＡＬＣの壁や在来工法の壁等にも適用可能である。また、前記実施形態では外壁に用いる場合について説明を行ったが、それ以外の内壁や界壁あるいは屋根などの断熱が必要な部位に適用可能である。
【００３３】
また、前記実施形態では、外断熱層２０を形成するために断熱パネル３０を用いたが、外断熱層２０は現場施工によって形成することも可能である。即ち、図８に示すように、前記実施形態と同様に構成された壁パネル１１に対して、長尺部材とされた硬質断熱材２１を所定の間隔で略平行に取り付け、それら硬質断熱材２１の間に軟質断熱材２２を取り付けることで外断熱層２０が形成されている。この外断熱層２０の外側を覆って透湿防水シート２３が張り付けられ、その外側に前記実施形態と同様に外装材２４が取り付けられる。
【００３４】
使用材料について、硬質断熱材の材料には発泡合成樹脂材のスタイロフォームを用いることとしたが、それ以外の発泡合成樹脂材としてポリエチレン、ポリ塩化ビニル、ポリウレタン等の合成樹脂を発泡させて作られた材料の使用も可能である。
また、軟質断熱材の材料としてグラスウールを採用したが、ロックウールとすることもできるし、他にも通気性と断熱性を有する材料であれば適用可能である。
硬質断熱材と軟質断熱材との間をスプレー状ののり（例えば住友スリーエム社製の透湿シート貼りボンド）等で接着することとしたが、それ以外の接着剤や接着方法を用いて固定することも可能である。
【００３５】
【発明の効果】
このような本発明によれば、以下の効果が得られる。
請求項１の発明により、硬質断熱材部分を挟んで外装材が躯体に取り付けられることで容易かつ確実に外装材が固定され、安価な軟質断熱材を硬質断熱材の間に設ける外断熱層とすることにより、作業効率が向上し、熱橋を抑えつつコストを抑えた建物の外断熱構造とすることができる。また、軟質断熱材により通気性も確保されることになる。
【００３６】
請求項２の発明により、外装材は胴縁と、この胴縁の外側表面に固定される板材とを備えるが、このような構成は一般的な外装材の取り付け方法であり製造が容易であり、施工効率がよく、低コストで施工できる。
請求項３の発明により、複数の硬質断熱材の間に軟質断熱材を設けてパネル化することで、パネルの形態が維持され取扱い性がよく施工性に優れるとともに、パネルを工場生産することで、現場施工の手間を低減し施工効率を向上できる。
【００３７】
請求項４の発明により、硬質断熱材部分を挟んで外装材が躯体に取り付けられることで容易かつ確実に外装材が固定され、安価な軟質断熱材を硬質断熱材の間に設ける断熱パネルとすることにより、作業効率が向上しコストを抑えた建物の外断熱とすることができる。硬質断熱材によりパネルの形態が維持され取扱い性がよく施工性に優れるとともに、軟質断熱材により通気性も確保されることになる。また、パネルを工場生産することで現場施工の手間を軽減し施工効率を向上できる。
【００３８】
請求項５の発明により、断熱パネルでは硬質断熱材は小片であって縦および横の両方向ともにそれぞれ所定の間隔で複数散在し、それらの小片の間に前記軟質断熱材が設けられていることで、高価な硬質断熱材の使用量を減らすことができ施工コストを低減できる。
請求項６の発明により、断熱パネルでは硬質断熱材は長尺部材であってパネルの両端縁に沿って配置され、その間に軟質断熱材が設けられていることで、パネルの端縁が硬質断熱材で保護され、角や端がつぶれることなくパネルの形状が維持され取り扱いやすくなる。
【００３９】
請求項７の発明により、断熱パネルでは硬質断熱材が枠状に配置され、その枠の中に軟質断熱材が設けられていることで、上述のパネル端縁に硬質断熱材を配置した場合以上に、パネルの剛性が高くなり形状が維持され施工し易くなる。
請求項８の発明により、断熱パネルでは硬質断熱材が長尺部材であって所定間隔おきに略平行に配置され、それらの長尺部材の間に軟質断熱材が設けられていることで、よりパネルの剛性が高くなり形状が維持され施工効率を高めることができる。
【００４０】
請求項９の発明により、断熱パネルでは硬質断熱材が格子状に配置され、その格子の中に軟質断熱材が設けられていることで、パネルの平面内での縦横両方向ともに剛性が高くなると同時に、外からの衝撃などに対する強度が高まるので運搬や施工の際に破損しにくくなり、運搬効率や施工効率を高めることができる。請求項１０の発明により、硬質断熱材および軟質断熱材の外装材側表面には透湿防水シートが張られているので、現場で透湿防水シートを張り付ける施工手間を省略することができ施工効率が向上する。
【図面の簡単な説明】
【図１】本発明の第一実施形態を適用した建物の全体図。
【図２】前記実施形態を適用した外壁の断面図。
【図３】前記実施形態を適用した外壁の分解斜視図。
【図４】本発明の第二実施形態の断熱パネルの正面図。
【図５】本発明の第三実施形態の断熱パネルの正面図。
【図６】本発明の第四実施形態の断熱パネルの正面図。
【図７】本発明の第五実施形態の断熱パネルの正面図。
【図８】本発明の変形例を示す外壁の分解斜視図。
【符号の説明】
１    建物
３    建物本体
２０    外断熱層
２１    硬質断熱材
２２    軟質断熱材
２３    透湿防水シート
２４    外装材
２５    胴縁
２６    板材
３０    断熱パネル
【図１】
0003911400.tif 000002
【図２】
0003911400.tif 000003
【図３】
0003911400.tif 000004
【図４】
0003911400.tif 000005
【図５】
0003911400.tif 000006
【図６】
0003911400.tif 000007
【図７】
0003911400.tif 000008
【図８】
0003911400.tif 000009